(57)【要約】      （修正有）【課題】形成体本体に対して形成体補助体を組み付ける際に、当該形成体本体に対して当該形成体補助体を回動させる動きを利用して、給水湯管を曲げることで、曲げ剛性の大きな給水湯管の曲げ作業を容易にする構成を提供する。【解決手段】形成体補助体Ｄの一対の係止板部４２を、形成体本体Ｂの一対の被係止回動支点部Ｓ1に係止させると共に、給水湯管Ｐの曲げ予定部を前記形成体補助体Ｄに収容した状態で、当該形成体補助体Ｄを前記一対の被係止回動支点部Ｓ1を中心にして壁裏面１に向けて回動させることで、建物壁Ｗの壁貫通孔に貫通される給水湯管Ｐを曲げて、給水湯管Ｐの当該曲げ状態で、前記形成体本体Ｂに対して前記形成体補助体Ｄが一体に組み付けられる構成とする。【選択図】図１１
2018151018.tif 000002
【特許請求の範囲】
【請求項１】
建物壁に形成された壁貫通孔に、給水湯管の先端部が壁裏側から挿入された配管構造において、当該給水湯管の壁裏側で当該壁裏の壁面に沿って曲げられた箇所に配置される給水湯管の曲げ部形成体であって、
前記曲げ部形成体は、前記建物壁の裏面に取着される取着板部を備えた形成体本体と、壁裏対向面と当該壁裏対向面に交差する二つの面が開口されたボックス状をなしていて、前記給水湯管を曲げ状態を保持させて前記形成体本体に一体に組み付けられる形成体補助体とから成り、
前記形成体補助体は、前記形成体本体の取着板部における給水湯管の壁貫通部に接続する曲げ開始部の外側と対向する部分に設けられた被引掛け回動支点部に対して引っ掛けられる引掛け部を備え、
前記形成体補助体の引掛け部を、前記形成体本体の被引掛け回動支点部に引っ掛けると共に、給水湯管の曲げ予定部を前記形成体補助体に収容した状態で、当該形成体補助体を前記被引掛け回動支点部を中心にして壁裏の壁面に向けて回動させることで、建物壁の壁貫通孔に貫通される給水湯管を曲げて、給水湯管の当該曲げ状態で、前記形成体本体に対して前記形成体補助体が一体に組み付けられる構成であることを特徴とする給水湯管の曲げ部形成体。
【請求項２】
建物壁に形成された壁貫通孔に、給水湯管の先端部が壁裏側から挿入された配管構造において、当該給水湯管の壁裏側で当該壁裏の壁面に沿って曲げられた箇所に配置される給水湯管の曲げ部形成体であって、
前記曲げ部形成体は、前記建物壁の裏面に取着される取着板部を備えた形成体本体と、壁裏対向面と当該壁裏対向面に交差する二つの面が開口されたボックス状をなしていて、前記給水湯管を曲げ状態を保持させて前記形成体本体に一体に組み付けられる形成体補助体とから成り、
前記形成体本体の取着板部における管挿入開口の両側であって、しかも給水湯管の壁貫通部に接続する曲げ開始部の外側には、Ｌ字形の一対の被係止回動支点部が設けられ、前記形成体補助体における壁裏の壁面と対向する面には、前記一対の被係止回動支点部に挿入係止される一対の係止板部が設けられ、
前記形成体補助体の一対の係止板部を、前記形成体本体の一対の被係止回動支点部に係止させると共に、給水湯管の曲げ予定部を前記形成体補助体に収容した状態で、当該形成体補助体を前記一対の被係止回動支点部を中心にして壁裏の壁面に向けて回動させることで、建物壁の壁貫通孔に貫通される給水湯管を曲げて、給水湯管の当該曲げ状態で、前記形成体本体に対して前記形成体補助体が一体に組み付けられる構成であることを特徴とする給水湯管の曲げ部形成体。
【請求項３】
前記形成体本体は、前記壁貫通孔内に挿入される中空筒体部と、前記取着板部を構成していて、前記中空筒体部の中空部に臨む開口が形成されて、壁裏の壁面に密着固定される固定平板部とを備え、
前記形成体補助体には、前記形成体本体の固定平板部と重合する重合板部が形成されて、当該重合板部には、前記固定平板部を貫通するように打ち込まれるビスの下孔が形成されていることを特徴とする請求項１又は２に記載の給水湯管の曲げ部形成体。
【請求項４】
前記形成体補助体の被引掛け回動支点部は、前記形成体本体の前記中空部に差し入れられる板状の差入れ板部で構成されていることを特徴とする請求項３に記載の給水湯管の曲げ部形成体。
【請求項５】
請求項１ないし４のいずれかに記載の給水湯管の曲げ部形成体と、前記給水湯管における壁表面から突出する先端部に接続される管継手とから成り、
前記管継手は、前記給水湯管の壁表面から突出した部分に接続される継手本体と、壁表面における前記壁貫通孔の周縁に当接されるフランジ部とで構成されることを特徴とする給水湯管の配管装置。
【請求項６】
前記フランジ部は、前記継手本体とは別体のフランジ体から成り、前記形成体本体は、前記壁貫通孔に挿入される中空筒体部を有し、
前記継手本体を給水湯管の先端部に接続した状態で、当該継手本体は、前記形成体本体の中空筒体部を通過可能であり、壁表側に達した継手本体に、前記フランジ体が組付け可能であることを特徴とする請求項５に記載の給水湯管の配管装置。
【発明の詳細な説明】
【技術分野】
【０００１】
本発明は、建物壁に形成された壁貫通孔に、給水湯管の先端部が壁裏側から挿入された配管構造において、当該給水湯管の壁裏側で当該壁裏の壁面に沿って曲げられた箇所に配置される給水湯管の曲げ部形成体、及びその配管装置に関するものである。
【背景技術】
【０００２】
建物壁に形成された壁貫通孔に、給水湯管の先端部が壁裏側から挿入された配管構造では、例えば、特許文献１に示されるように、当該壁貫通孔に筒状の壁貫通部形成部材が挿入され、当該壁貫通部形成部材の壁裏側にボックス状部材が一体に組み付けられ、壁裏側から給水湯管を壁貫通部形成部材に挿入して、当該給水湯管の曲げ予定部を前記ボックス状部材に収容した状態で、人の力により、当該給水湯管を壁裏の壁面に沿うように曲げて、当該ボックス状部材を、前記壁貫通部形成部材の壁裏側に一体に形成されて壁裏の壁面に密着する取着板部に一体に組み付けている。
【０００３】
ここで、給水湯管は、架橋ポリエチレン管、ポリブデン管等が使用されているため、人の過大な力により初めて曲げられる大きな曲げ剛性を有している。このため、上記のようにボックス状部材の内部に給水湯管の曲げ予定部を収容した姿勢で、当該ボックス状部材を人の力のみにより壁裏の壁面側に押し付けて、給水湯管を曲げることは、前記壁貫通部形成部材と前記ボックス状部材とが完全に分離されていて、当該壁貫通部形成部材に対するボックス状部材の姿勢が定まらないため、困難な作業であり、給水湯管の曲げ作業の改善が求められていた。
【先行技術文献】
【特許文献】
【０００４】
【特許文献１】特開２０１１−１５３７１２号公報
【発明の概要】
【発明が解決しようとする課題】
【０００５】
本発明は、上記事情に基づいて、安定した状態で、壁裏において曲げ剛性の高い給水湯管を壁裏の壁面に沿って曲げ可能にして、曲げ作業を容易にすることを課題としている。
【課題を解決するための手段】
【０００６】
上記課題を解決するための請求項１の発明は、建物壁に形成された壁貫通孔に、給水湯管の先端部が壁裏側から挿入された配管構造において、当該給水湯管の壁裏側で当該壁裏の壁面に沿って曲げられた箇所に配置される給水湯管の曲げ部形成体であって、
前記曲げ部形成体は、前記建物壁の裏面に取着される取着板部を備えた形成体本体と、壁裏対向面と当該壁裏対向面に交差する二つの面が開口されたボックス状をなしていて、前記給水湯管を曲げ状態を保持させて前記形成体本体に一体に組み付けられる形成体補助体とから成り、
前記形成体補助体は、前記形成体本体の取着板部における給水湯管の壁貫通部に接続する曲げ開始部の外側と対向する部分に設けられた被引掛け回動支点部に対して引っ掛けられる引掛け部を備え、
前記形成体補助体の引掛け部を、前記形成体本体の被引掛け回動支点部に引っ掛けると共に、給水湯管の曲げ予定部を前記形成体補助体に収容した状態で、当該形成体補助体を前記被引掛け回動支点部を中心にして壁裏の壁面に向けて回動させることで、建物壁の壁貫通孔に貫通される給水湯管を曲げて、給水湯管の当該曲げ状態で、前記形成体本体に対して前記形成体補助体が一体に組み付けられる構成であることを特徴としている。
【０００７】
請求項１の発明によれば、形成体本体は、取着板部により建物壁の裏面に取着され、しかも当該形成体本体の被引掛け回動支点部に、ボックス状の形成体補助体の引掛け部を引っ掛けた状態において、給水湯管の先端部を形成体補助体の内部に挿通させた後に、前記壁貫通孔に挿入させる。形成体補助体の引掛け部が引っ掛けられる形成体本体の被引掛け回動支点部は、形成体本体の取着板部における給水湯管の壁貫通部に接続する曲げ開始部の外側と対向する部分に設けられているため、上記状態で、形成体本体の被引掛け回動支点部を回動支点部として、人の力により、形成体補助体の壁裏の裏面に向けて押し付けて回動させると、当該形成体補助体の内部に収容されている給水湯管の曲げ予定部は、当該形成体補助体の内面の少なくとも異なる２箇所に当接しているため、形成体補助体の前記回動に伴って、給水湯管の曲げ予定部が曲げられ、この状態で、形成体本体に対して形成体補助体が一体に組付けられる。
【０００８】
このように、請求項１の発明によれば、給水湯管の曲げ予定部を、形成体補助体の内部に収容した状態で、形成体本体の被引掛け回動支点部と形成体補助体の引掛け部とが、互いに引っ掛かった状態で、当該形成体補助体を、形成体本体の被引掛け回動支点部を回動支点部として回動させるという安定した姿勢で、曲げ剛性の高い給水湯管の曲げ作業を行えるので、曲げ損じを生ずることなく、給水湯管を確実に曲げることができる。
【０００９】
請求項２の発明は、建物壁に形成された壁貫通孔に、給水湯管の先端部が壁裏側から挿入された配管構造において、当該給水湯管の壁裏側で当該壁裏の壁面に沿って曲げられた箇所に配置される給水湯管の曲げ部形成体であって、
前記曲げ部形成体は、前記建物壁の裏面に取着される取着板部を備えた形成体本体と、壁裏対向面と当該壁裏対向面に交差する二つの面が開口されたボックス状をなしていて、前記給水湯管を曲げ状態を保持させて前記形成体本体に一体に組み付けられる形成体補助体とから成り、
前記形成体本体の取着板部における管挿入開口の両側であって、しかも給水湯管の壁貫通部に接続する曲げ開始部の外側には、Ｌ字形の一対の被係止回動支点部が設けられ、前記形成体補助体における壁裏の壁面と対向する面には、前記一対の被係止回動支点部に挿入係止される一対の係止板部が設けられ、
前記形成体補助体の一対の係止板部を、前記形成体本体の一対の被係止回動支点部に係止させると共に、給水湯管の曲げ予定部を前記形成体補助体に収容した状態で、当該形成体補助体を前記一対の被係止回動支点部を中心にして壁裏の壁面に向けて回動させることで、建物壁の壁貫通孔に貫通される給水湯管を曲げて、給水湯管の当該曲げ状態で、前記形成体本体に対して前記形成体補助体が一体に組み付けられる構成であることを特徴としている。
【００１０】
請求項１の発明は、形成体本体の取着板部における給水湯管の壁貫通部に接続する曲げ開始部の外側と対向する部分に設けられた被引掛け回動支点部を回動支点部として、当該形成体本体の被引掛け回動支点部に、自身の引掛け部が引っ掛けられた形成体補助体を壁裏の裏面側に回動させて、内部に収容された給水湯管を曲げるものである。これに対して、請求項２の発明は、請求項１の発明に対して形成体補助体の回動支点部の構造が異なるのみであり、当該形成体本体の取着板部における管挿入開口の両側であって、しかも給水湯管の壁貫通部に接続する曲げ開始部の外側に設けられたＬ字形の一対の被係止回動支点部に、形成体補助体に設けられた一対の係止板部が挿入係止されて、当該一対の被係止回動支点部を回動支点部として、形成体補助体が回動することで、形成体補助体の内部に収容されている給水湯管の曲げ予定部が曲げられる。このように、請求項２の発明は、形成体補助体の回動支点部は、形成体本体の取着板部における管挿入開口の両側に設けられた一対の被係止回動支点部で構成されているため、形成体補助体を壁裏面側に回動させて行う給水湯管の曲げ時において、当該形成体補助体が左右方向（横方向）に微動することがないため、一層に安定して、給水湯管の曲げ作業を行える利点がある。
【００１１】
請求項３の発明は、請求項１又は２の発明において、前記形成体本体は、前記壁貫通孔内に挿入される中空筒体部と、前記取着板部を構成していて、前記中空筒体部の中空部に臨む開口が形成されて、壁裏の壁面に密着固定される固定平板部とを備え、
前記形成体補助体には、前記形成体本体の固定平板部と重合する重合板部が形成されて、当該重合板部には、前記固定平板部を貫通するように打ち込まれるビスの下孔が形成されていることを特徴としている。
【００１２】
内部に給水湯管の曲げ部が収容されている形成体補助体には、当該曲げ部の反力が常時作用しているため、当該形成体補助体は、壁裏の壁面に対して大きな固定強度を必要とする。そこで、請求項３の発明によれば、形成体本体と形成体補助体とは、当該形成体本体の固定平板部と、当該形成体補助体の重合板部とが重合され、重合された各平板部は、ビスを介して壁裏に固定されるのに加えて、請求項１を引用する請求項３の発明では、形成体本体の被引掛け回動支点部と、形成体補助体の引掛け部とが引っ掛けられていると共に、請求項２を引用する請求項３の発明では、形成体本体の一対の被係止回動支点部と、形成体補助体の一対の係止板部とが、二箇所で係止しているため、当該引掛け構造又は係止構造と、ビス固定との併用により、形成体補助体は、給水湯管の曲げ部の反力により、壁裏面から離脱することなく、当該壁裏面に強固に固定される。
【００１３】
請求項４の発明は、請求項３の発明において、前記形成体補助体の被引掛け回動支点部は、前記形成体本体の前記中空部に差し入れられる板状の差入れ板部で構成されていることを特徴としている。
【００１４】
請求項４の発明によれば、形成体補助体の被引掛け回動支点部は、形成体本体の中空部に差し入れられる板状の差入れ板部で構成されているため、形成体本体と形成体補助体とを一体に組み付けるために、形成体本体に壁裏面から大きく突出する突出部を設けることなく、形成体本体と形成体補助体とが一体に組み付けられる。
【００１５】
請求項５の発明は、請求項１ないし４のいずれかに記載の給水湯管の曲げ部形成体と、前記給水湯管における壁表面から突出する先端部に接続される管継手とから成る給水湯管の配管装置であって、
前記管継手は、前記給水湯管の壁表面から突出した部分に接続される継手本体と、壁表面における前記壁貫通孔の周縁に当接されるフランジ部とで構成されることを特徴としている。
【００１６】
建物壁の壁貫通孔に、壁裏から挿入されて壁表に達した給水湯管の先端部には管継手が接続され、当該管継手は、給水湯管の壁表面から突出した部分に接続される継手本体と、壁表面における前記壁貫通孔の周縁に当接されるフランジ部とで構成される。請求項５の発明によれば、管継手のフランジ部を壁表面に当接させる際に、壁貫通孔に挿通された給水湯管を壁裏側に押し戻しても、壁裏側において、給水湯管の曲げ部は、その反力により、給水湯管の曲げ部形成体を構成する形成体補助体の内面に押し付けられていて、給水湯管の直線部及び曲げ部は、壁表側及び壁裏側のいずれの方向にも微動しない安定状態で、それぞれ壁貫通孔及び形成体補助体に挿入又は収容されている。よって、管継手のフランジ部を壁表面に当接させる際においても、壁貫通孔に挿通されて、壁裏側において曲げられている給水湯管に無理な力が作用して、給水湯管に座屈等が発生することなく、壁表面に管継手のフランジ部を当接させられる。
【００１７】
請求項６の発明は、請求項５の発明において、前記フランジ部は、前記継手本体とは別体のフランジ体から成り、前記形成体本体は、前記壁貫通孔に挿入される中空筒体部を有し、
前記継手本体を給水湯管の先端部に接続した状態で、当該継手本体は、前記形成体本体の中空筒体部を通過可能であり、壁表側に達した継手本体に、前記フランジ体が組付け可能であることを特徴としている。
【００１８】
請求項６の発明では、管継手を構成する継手本体とフランジ体とは、別体であるため、給水湯管は、その先端部に継手本体を接続した状態で、形成体本体を構成していて、建物壁の壁貫通孔に挿入された中空筒体部を通過可能であるので、予め先端部に継手本体が接続された状態で取り扱われる給水湯管を、そのままの状態で、先端に接続された継手本体を壁表まで通過させられる。その後に、壁表において、継手本体にフランジ体を組み付けて、当該フランジ体を壁表面に固定することで、給水湯管の先端部を建物壁に対して固定できる。
【発明の効果】
【００１９】
本発明によれば、給水湯管の曲げ部形成体は、壁裏の壁面に取着される取着板部を備えた形成体本体と、当該形成体本体に対して一体に組み付けられる形成体補助体とで構成され、前記形成体本体の取着板部に設けられた被引掛け回動支点部又は一対の被係止回動支点部と、形成体補助体に設けられた引掛け部又は係止板部とが互い引っ掛けられるか又は係止された状態で、形成体補助体は、被引掛け回動支点部又は一対の被係止回動支点部を支点部として、壁裏の壁面に向けて回動させることで、当該形成体補助体に収容された給水湯管の曲げ予定部を曲げることが可能となる。このように、形成体本体と形成体補助体とは、互いに分離された状態ではなくて、被引掛け回動支点部又は一対の被係止回動支点部で互いに拘束された状態で、形成体本体に対して形成体補助体を壁裏の壁面に向けて回動させられるので、形成体補助体の回動姿勢が安定化するため、一層に大きな人の力を形成体補助体に加えることができ、曲げ剛性の大きな給水湯管を比較的容易に曲げられる。
【図面の簡単な説明】
【００２０】
【図１】本発明に係る給水湯管の曲げ部形成体Ａを用いて曲げられた給水湯管Ｐの配管状態の斜視図である。
【図２】（ａ），（ｂ）は、それぞれ給水湯管の曲げ部形成体Ａを構成する形成体本体Ｂと形成体補助体Ｄとが一体に組み付けられた状態を異なる方向から見た斜視図である。
【図３】形成体本体Ｂと形成体補助体Ｄとの分離状態の斜視図である。
【図４】形成体本体Ｂと形成体補助体Ｄとの組付け構造を主体に示す分離状態の斜視図である。
【図５】同様の状態を異なる方向から見た斜視図である。
【図６−Ａ】（ａ），（ｂ）は、それぞれ形成体本体Ｂの正面図及び平面図であり、（ｃ）は、（ｂ）のＸ1 −Ｘ1 線断面図である。
【図６−Ｂ】（ｄ）は、形成体本体Ｂの右側面図であり、（ｅ）は、図６−Ａの（ａ）のＸ2 −Ｘ2 線断面図である。
【図７−Ａ】（ａ），（ｂ），（ｃ）は、それぞれ形成体補助体Ｄの正面図、背面図、及び右側面図である。
【図７−Ｂ】（ｄ），（ｅ）は、それぞれ形成体補助体Ｄの平面図及び底面図であり、（ｆ）は、（ｄ）のＹ−Ｙ線断面図である。
【図８】給水湯管Ｐの先端部に管継手Ｃが接続されて、形成体補助体Ｄの挿入開口３２及び正面開口３１に挿通された給水湯管Ｐの先端部の管継手Ｃを形成体本体Ｂの挿入開口１４から中空筒体部１１に挿入した状態の断面図である。
【図９】給水湯管Ｐの先端部の管継手Ｃを壁表側に突出させた状態で、形成体本体Ｂの一対の被係止回動支点部Ｓ1 に、形成体補助体Ｄの一対の係止板部４２を部分挿入して、当該一対の被係止回動支点部Ｓ1 を回動支点部として、形成体補助体Ｄを回動させて、給水湯管Ｐを曲げている状態の断面図である。
【図１０】同様の状態の斜視図である。
【図１１】形成体本体Ｂの固定平板部１０に対して形成体補助体Ｄが一体に組み付けられて、給水湯管Ｐが壁裏面１に沿って曲げられた状態の断面図である。
【図１２】壁裏側では、壁裏面１に沿った給水湯管Ｐが曲げられ、壁表側では、継手本体５１にフランジ体５２が取付けられた状態の断面図である。
【図１３】（ａ），（ｂ）は、それぞれ図１２のＺ1 −Ｚ1 線及びＺ2 −Ｚ2 線の各断面図である。
【図１４】（ａ），（ｂ）は、壁表側において、継手本体５１に対してフランジ体５２が取付けられる前後の斜視図である。
【発明を実施するための形態】
【００２１】
以下、実施例を挙げて、本発明について更に詳細に説明する。最初に、図１〜図 7−Ｂを参照して、給水湯管Ｐの曲げ部形成体Ａの構成について説明し、その後に、壁裏における給水湯管Ｐの曲げを含んだ配管方法について説明する。図１及び図３において、建物壁Ｗには、壁貫通孔Ｈが形成され、壁裏から当該壁貫通孔Ｈに挿入された当該給水湯管Ｐの先端部は、壁表面から僅かに突出した状態で壁表に達すると共に、給水湯管Ｐは、壁裏において壁面に沿うように曲げられて配管される。
【００２２】
給水湯管Ｐの上記配管のために、壁裏において給水湯管Ｐを壁面に沿うように曲げるための当該給水湯管Ｐの曲げ部形成体Ａは、壁裏の壁面に固定される固定平板部１０を備えた形成体本体Ｂと、当該形成体本体Ｂに対する組付け途中において、前記給水湯管Ｐを曲げて、曲げ完了時において、当該形成体本体Ｂに一体に組み付けられる形成体補助体Ｄとから成る。形成体本体Ｂ及び形成体補助体Ｄは、いずれも樹脂製である。なお、建物壁Ｗの壁裏の壁面（以下、「壁裏面」という）１には、断熱材の塗布厚に対応した厚さを有する左右一対の木製の支持材３が前記壁貫通孔Ｈを挟んで固定され、形成体本体Ｂの固定平板部１０及び形成体補助体Ｄを構成する後述の係止板部４２は、重合板部を兼用していて、重合状態で前記一対の支持材３にビス固定される。
【００２３】
次に、図３〜図 6−Ｂを参照して、形成体本体Ｂについて説明する。形成体本体Ｂは、壁貫通孔Ｈの内周面との間に僅かの隙間を有し、しかもその先端部が建物壁Ｗの壁表の壁面（以下、単に「壁表面」という）２から僅かに突出した状態で、当該壁貫通孔Ｈに挿入される円筒状の中空筒体部１１の壁裏面１の側に配置される部分に前記固定平板部１０が一体に設けられた構成である。中空筒体部１１には、周方向に沿って等分された４箇所に溝部１２が長手方向に沿って形成され、中空筒体部１１における固定平板部１０の側の所定の長さの部分を除いて長手方向に沿って一体間隔をおいて切れ目１３が周方向に沿って形成されている。当該切れ目１３は、中空筒体部１１の長さを、建物壁Ｗの壁厚に対応した長さに切断するためのものであり、前記溝部１２の壁表面２の側の部分は、その壁表面２において、後述の継手本体５１に螺着されたフランジ体５２を前記中空筒体部１１に固定する際のビスの下孔となる。
【００２４】
中空筒体部１１の壁裏面１の側に配置される部分は、曲げられた給水湯管Ｐをスムーズに挿入可能とすべく、当該給水湯管Ｐの曲げ方向に沿って屈曲されていて〔図６−Ａ（ａ），（ｃ）参照〕、屈曲された部分の端面に、前記固定平板部１０が一体に形成されている。固定平板部１０は、中空筒体部１１の屈曲部１１ａを除く一般部の長手方向に対して直交して配置されている。中空筒体部１１の一般部の中空部の断面は円形であるが、固定平板部１０に形成された挿入開口１４の形状は、楕円形である〔図３，図４及び図６−Ｂ（ｄ）参照〕。
【００２５】
固定平板部１０の外面における前記挿入開口１４の両側であって、当該挿入開口１４から挿入された給水湯管Ｐの曲げ部Ｐａとなる部分の外側には、側面視でＬ字状をした左右一対の被係止回動支点部Ｓ1 が突出状態で一体に形成されている。側面視でＬ字状の被係止回動支点部Ｓ1 は、給水湯管Ｐの曲げ部Ｐａの中心の側に向けて開口されていて、本体部１５における挿入開口１４に近い端面には、補強部１６が一体に形成されている。補強部１６は、本体部１５の肉厚方向に沿って、当該肉厚よりも大きな寸法を有することで、被係止回動支点部Ｓ1 の全体の断面係数を大きくして、給水湯管Ｐの曲げ時に作用する大きな力に抗し得るように、強度を高めている。また、固定平板部１０における楕円状の挿入開口１４の長軸の前記一対の被係止回動支点部Ｓ1 が形成された側の端部には、固定平板部１０の内側に向けて段差状の部分が形成され、この段差状の部分は、被引掛け回動支点部Ｓ2 となっている。段差状の被引掛け回動支点部Ｓ2 には、形成体補助体Ｄの板状をした差入れ板部３５が差し入れられて係止され、給水湯管Ｐの曲げ時においては、前記一対の被係止回動支点部Ｓ1 と協働して、形成体本体Ｂの固定平板部１０に対して形成体補助体Ｄを回動させる際に、一時的に回動支点部としての機能を果す。被引掛け回動支点部Ｓ2 は、形成体補助体Ｄの差入れ板部３５の引掛け段差部３６を引っ掛けるために、挿入開口１４に臨んで形成された引掛け突部１７と、当該引掛け突部１７の内側に形成された凹部１８とで構成される。
【００２６】
前記固定平板部１０の外面における形成体補助体Ｄの本体部３０が密着する部分は、他の部分よりも低く形成されて僅かの段差部１９が形成され、これにより、固定平板部１０に対する形成体補助体Ｄの左右方向（横方向）の位置決めを確実にしている。固定平板部１０に開口している楕円状の挿入開口１４の長軸における前記被引掛け回動支点部Ｓ2 と反対の側の端部には、形成体補助体Ｄの左右一対の嵌着係止板部３８が嵌着係止される方形状の被嵌着係止板部２１が、挿入開口１４の前記長軸の方向に沿って突設されている。被嵌着係止板部２１の幅方向の両端部に、形成体補助体Ｄの左右一対の嵌着係止板部３８の係止段部３９が嵌着係止され、当該嵌着係止の状態において、固定平板部１０に対して形成体補助体Ｄが、挿入開口１４の長軸方向に沿ってスライドすることで，前記嵌着係止が解除されるのを防止する突条２２が、前記被嵌着係止板部２１の内面における挿入開口１４の長軸方向に沿った外端部に、当該挿入開口１４の短軸方向に沿って形成されている。方形状をした前記固定平板部１０の各コーナー部に近い部分には、当該固定平板部１０を前記一対の支持材３に固定させるためのビス４が挿通されるビス挿通孔２３が横方向に開口して形成されている。なお、図３、図４及び図６−Ｂにおいて、２４は、形成体本体Ｂの固定平板部１０に対して形成体補助体Ｄを回動させて組み付ける際に、完全組付けの直前において、当該固定平板部１０に対する当該形成体補助体Ｄの横方向の位置を定めるための位置決めガイド部を示す。
【００２７】
次に、図３〜図５、図７−Ａ及び図７−Ｂを参照して、形成体補助体Ｄについて説明する。形成体補助体Ｄは、形成体本体Ｂの固定平板部１０に対して被係止回動支点部Ｓ1 を主回動支点部とし、被引掛け回動支点部Ｓ2 を補助回動支点部として、回動させることで、内部に収容された給水湯管Ｐの曲げ予定部を曲げて曲げ部Ｐａに形成するための部材であって、曲げ部Ｐａが完成された時点で、固定平板部１０に一体に組み付けられる。即ち、形成体補助体Ｄの本体部３０は、両側面、背面及び天井面が閉塞されたボックス状の部材であって、正面を形成していて、壁裏面１と対向する壁裏対向面と、底面を形成していて、当該壁裏対向面と交差する面との二つの面が開口され、それぞれ正面開口３１及び給水湯管Ｐの挿入開口３２となっている。形成体補助体Ｄの正面端面３３は、形成体本体Ｂの固定平板部１０の段差部１９の内側の部分に密着される部分であって、同一平面内に形成され、天板部３４には、形成体補助体Ｄの被引掛け回動支点部Ｓ2 に差し入れられて引っ掛けられる板状の差入れ板部３５が、正面の前記端面３３から大きく壁裏面１の側に突出して形成され、当該差入れ板部３５には、形成体本体Ｂの固定平板部１０の被引掛け回動支点部Ｓ2 に形成された引掛け突部１７に引っ掛けられる引掛け段差部３６が形成され、差入れ板部３５における引掛け段差部３６から先端に至る部分の上面は、先端に向かうほど薄肉となるような傾斜面状に形成されている。
【００２８】
形成体補助体Ｄの挿入開口３２は、底板部３７に形成され、当該底板部３７には、形成体本体Ｂの被嵌着係止板部２１の幅に対応する中央部が欠落されることで、当該被嵌着係止板部２１に嵌着係止される一対の嵌着係止板部３８が壁裏面１の側に突出して形成され、各嵌着係止板部３８の対向する内端面には、それぞれ形成体本体Ｂの被嵌着係止板部２１の幅方向の両端部に係止される係止段部３９が形成されている。
【００２９】
また、形成体補助体Ｄの各側板部４１には、給水湯管Ｐの曲げ時には、形成体本体Ｂの一対の被係止回動支点部Ｓ1 に係止され、形成体本体Ｂの固定平板部１０に対して形成体補助体Ｄが一体に組み付けられた状態では、形成体本体Ｂの段差部１９よりも外側の部分に密着して重合される係止板部４２が横方向に突出して、それぞれ一体に形成されている。このため、形成体補助体Ｄの一対の係止板部４２は、形成体本体Ｂの固定平板部１０に密着して重合される重合板部としての機能を兼用している。各係止板部４２は、正面端面３３に対して、形成体本体Ｂの段差部１９に対応する分だけ後退している。各係止板部４２には、形成体本体Ｂの固定平板部１０に形成体補助体Ｄが一体に組み付けられた状態において、被嵌着係止板部２１に近い側の左右一対のビス挿通孔２３と合致する一対のビス挿通孔４３が形成されている。なお、図３〜図５、図７−Ａ及び図７−Ｂにおいて、４４は、形成体補助体Ｄの本体部３０を構成する背面板部を示す。
【００３０】
次に、図８〜図１４を参照して、上記した給水湯管Ｐの曲げ部形成体Ａを使用して、壁裏側から壁表側に向けて壁貫通孔Ｈに給水湯管Ｐを挿入して配管する途中において、当該給水湯管Ｐを曲げる作用について説明する。まず、図８に示されるように、建物壁Ｗの壁裏側から、当該建物壁Ｗに明けられた壁貫通孔Ｈに形成体本体Ｂを挿入して、その先端側を壁表面２から僅かに突出させ、その後に、壁裏側において、形成体本体Ｂの固定平板部１０の左右二対のビス挿通孔２３のうち、被嵌着係止板部２１から離れている側の左右一対のビス挿通孔２３にビス４を挿通させて、当該固定平板部１０を、壁貫通孔Ｈの両側の各支持材３に固定する。これにより、形成体本体Ｂの全体が各支持材３に固定されることで、中空筒体部１１の先端部（自由端部）も固定状態となる。
【００３１】
この状態で、図８に示されるように、給水湯管Ｐの先端部に管継手Ｃを接続しておき、形成体補助体Ｄの底板部３７に形成された挿入開口３２から、給水湯管Ｐの先端部を挿入して、正面開口３１を通過させ、先端部に接続された管継手Ｃの一部が壁表面２から突出するまで、当該給水湯管Ｐを形成体本体Ｂの中空筒体部１１に挿入させる。
【００３２】
その後に、図９及び図１０に示されるように、形成体本体Ｂの固定平板部１０に対して形成体補助体Ｄを近接させ、当該固定平板部１０に対して形成体補助体Ｄを、楕円状の挿入開口１４の長軸の方向に沿ってスライドさせることで、当該形成体補助体Ｄの一対の係止板部４２を、前記固定平板部１０に形成されたＬ字形の左右一対の被係止回動支点部Ｓ1 の開口から内部に挿入させ、この状態で、図１０及び図１１に示されるように、形成体補助体Ｄに押圧力Ｆを加えて、左右一対の被係止回動支点部Ｓ1 を回動支点部として、形成体本体Ｂの固定平板部１０に対して形成体補助体Ｄを回動させる。給水湯管Ｐは、人の力による大きな曲げ力により初めて曲げられる大きな曲げ剛性を有しているが、形成体補助体Ｄの回動当初においては、給水湯管Ｐの一部が、当該給水湯管Ｐの曲げによる反力により、形成体補助体Ｄの底板部３７に形成された挿入開口３２の内周面に圧接され、形成体補助体Ｄの回動角度が所定角度に達すると、当該給水湯管Ｐは、挿入開口３２の内周面と天板部３４の内面との二箇所に圧接される。一方、図１１に示されるように、形成体補助体Ｄの差入れ板部３５は、当該形成体補助体Ｄの回動の当初より、形成体本体Ｂの挿入開口１４を通して内部に差し入れられていて、形成体本体Ｂの固定平板部１０に対して形成体補助体Ｄが組み付けられる直前においては、形成体補助体Ｄの差入れ板部３５の引掛け段差部３６と、形成体本体Ｂの引掛け突部１７とが引掛り状態になることで、当該引掛け突部１７及びその内側の凹部１８とで構成される被引掛け回動支点部Ｓ2 も、前記被係止回動支点部Ｓ1 と協働して、一時的に回動支点部となって、形成体本体Ｂの固定平板部１０に対して形成体補助体Ｄが回動し、形成体補助体Ｄの左右一対の係止板部４２が固定平板部１０に密着することで、形成体補助体Ｄの回動が終了する。
【００３３】
このように、形成体本体Ｂの固定平板部１０に対して形成体補助体Ｄを回動させて、一体に組み付ける途中において、大きな曲げ剛性を有する給水湯管Ｐにおける当該形成体補助体Ｄの内部に収容されている部分は、形成体補助体Ｄを回動させる人の力によって、曲げ損じを生ずることなく確実に曲げられる。
【００３４】
また、給水湯管Ｐは、その先端部に管継手Ｃが接続された状態で現場に持ち込まれることがあるが、フランジ体５２の外径が、形成体本体Ｂの中空筒体部１１の内径よりも大きいために、そのままでは、当該中空筒体部１１を通過させられない。そこで、管継手Ｃを構成する継手本体５１とフランジ体５２とを別体構造にすると、継手本体５１からフランジ体５２を取り外すことで、形成体本体Ｂの中空筒体部１１の内部を通過させられて、配管作業の能率が高められる。
【００３５】
形成体補助体Ｄの左右一対の係止板部４２が固定平板部１０に密着した状態では、形成体補助体Ｄの左右一対の係止板部４２が、形成体本体ＢのＬ字形の左右一対の被引掛け回動支点部Ｓ2 に完全係止すると共に、形成体補助体Ｄの差入れ板部３５の引掛け段差部３６が、形成体本体Ｂの引掛け突部１７の内側に引っ掛かった状態となり、図１２及び図１３に示されるように、形成体補助体Ｄの左右一対の嵌着係止板部３８の内側対向面に設けられ各係止段部３９が、形成体本体Ｂの被嵌着係止板部２１の幅方向の両端部に係止されることで、形成体本体Ｂの固定平板部１０に対して形成体補助体Ｄが一体に組み付けられる。この状態では、形成体補助体Ｄの左右一対の係止板部４２は、形成体本体Ｂの固定平板部１０に密着して重合され、互いに重合している各ビス挿通孔２３，４３を通してビス４を各支持材３にねじ込むことで、図１及び図２に示されるように、形成体本体Ｂの固定平板部１０に対して形成体補助体Ｄが固定される。
【００３６】
その後に、図１４に示されるように、壁表において、壁表面２から一部が突出している継手本体５１に対してフランジ体５２を螺着により取付ける。なお、図１４において、５３は、形成体本体Ｂの中空筒体部１１に対してフランジ体５２を固定するために、当該中空筒体部１１の溝部１２を形成する肉部にねじ込まれるビスを示す。
【００３７】
ここで、図１１〜図１３に示されるように、形成体補助体Ｄの内部に収容された給水湯管Ｐの曲げ部Ｐａは、底板部３７の挿入開口３２の内周面との圧接点Ｋ1 と、天板部３４の内面との圧接点Ｋ2 との二箇所において、当該曲げ部Ｐａの大きな反力により、形成体補助体Ｄの内面に圧接されている。このため，上記したように、壁表において、給水湯管Ｐの先端部に接続された継手本体５１に対してフランジ体５２を螺着により取付ける際に、給水湯管Ｐに対して当該給水湯管Ｐを壁裏側に押す大きな押圧力が作用しても、給水湯管Ｐの曲げ部Ｐａは、形成体補助体Ｄの内部において圧接支持されているため、簡単には動かない。よって、継手本体５１に対するフランジ体５２の取付作業、或いは継手本体５１に対する蛇口の取付作業を確実に行える。一方、継手本体５１に対して蛇口の接続作業等を行う場合には、給水湯管Ｐを壁表側に所定量だけ引き出して当該作業を行い、作業後において、曲げ部形成体Ａの内部に押し戻すことがあるが、この場合においては、給水湯管Ｐは、壁裏側の形成体補助体Ｄの内面の二箇所の圧接点Ｋ1 ，Ｋ2 に対する圧接状態を維持しているため、曲げ部Ｐａの曲げ半径を維持しながら、座屈することなく押し戻される。
【００３８】
上記実施例では、形成体本体Ｂの固定平板部１０に対して形成体補助体Ｄを回動させて一体に組み付けるのに、一対の被係止回動支点部Ｓ1 と被引掛け回動支点部Ｓ2 との二つの回動支点部を利用することで、当該固定平板部１０に対する形成体補助体Ｄの回動が確実に行えて、給水湯管Ｐの曲げを安定した状態で確実に行えると共に、形成体補助体Ｄの一対の係止板部４２が、形成体本体Ｂの固定平板部１０に密着した状態では、前記一対の被係止回動支点部Ｓ1 と被引掛け回動支点部Ｓ2 は、形成体本体Ｂの固定平板部１０と形成体補助体Ｄとを一体に組み付けるのに寄与する係止構造部又は引掛け構造部としてそれぞれ機能して、形成体本体Ｂの固定平板部１０と形成体補助体Ｄとの組み付け構造が強固となる利点がある。
【００３９】
しかし、本発明は、形成体本体Ｂの固定平板部１０に対して形成体補助体Ｄを一体に組み付ける際に、当該固定平板部１０に対して形成体補助体Ｄを回動させることで、当該形成体補助体Ｄの内部に収容されている給水湯管Ｐの曲げ予定部を安定した姿勢で確実に曲げることを要旨としているので、不安定な姿勢である手のみで曲げるのに比較して、給水湯管Ｐの曲げ操作が安定しておれば、回動支点部として機能する一対の被係止回動支点部Ｓ1 と被引掛け回動支点部Ｓ2 は、いずれか一方のみであっても実施可能である。
【符号の説明】
【００４０】
Ａ：曲げ部形成体
Ｂ：形成体本体
Ｃ：管継手
Ｄ：形成体補助体
Ｆ：給水湯管の曲げ時に形成体補助体に加える押圧力
Ｈ：壁貫通孔
Ｋ1,Ｋ2 ：形成体補助体に対する給水湯管の曲げ部の圧接点
Ｐ：給水湯管
Ｐａ：給水湯管の曲げ部
Ｓ1 ：被係止回動支点部
Ｓ2 ：被引掛け回動支点部
Ｗ：建物壁
４：ビス
１０：固定平板部
１１：中空筒体部
１７：引掛け突部
２３，４３：ビス挿通孔（ビスの下孔）
３１：形成体補助体の正面開口
３２：形成体補助体の挿入開口
３５：差入れ板部
４２：係止板部（重合板部）
５１：継手本体
５２：フランジ体
【図１】
2018151018.tif 000003
【図２】
2018151018.tif 000004
【図３】
2018151018.tif 000005
【図４】
2018151018.tif 000006
【図５】
2018151018.tif 000007
【図６−Ａ】
2018151018.tif 000008
【図６−Ｂ】
2018151018.tif 000009
【図７−Ａ】
2018151018.tif 000010
【図７−Ｂ】
2018151018.tif 000011
【図８】
2018151018.tif 000012
【図９】
2018151018.tif 000013
【図１０】
2018151018.tif 000014
【図１１】
2018151018.tif 000015
【図１２】
2018151018.tif 000016
【図１３】
2018151018.tif 000017
【図１４】
2018151018.tif 000018